(57)【要約】      （修正有）【課題】使用の便利感を向上させるメガネと電子装置の連接構造を提供する。【解決手段】メガネと電子装置の連接構造は、テンプルを備え、テンプルに少なくとも一つの穿孔を穿設するか、もしくは溶接するメガネに応用する。連接構造は、メガネのテンプルに設置し、上端及び下端にそれぞれ最上面１００及び底面１０を備える底台１と、底台に設置し上端及び下端にそれぞれ最上面２００及び底面２０を備えるマグネット２とを含む。底台の中央にはマグネットに対応する少なくとも一つの嵌入孔１２を穿設する。底台の底面の嵌入孔に隣接する箇所には少なくとも一つの凸柱１０１を設置しテンプルの少なくとも一つの穿孔に対応する。凸柱にはテンプルに固定するための固定部材１０３を設置し凸柱には固定部材に対応する固定部１０２を備える。少なくとも一つの電子装置がマグネットと吸着して底台に設置される。【選択図】図３
0003222342.tif 000002
【実用新案登録請求の範囲】
【請求項１】
テンプルを備え、テンプルには少なくとも一つの穿孔を穿設するか、もしくは溶接するメガネに応用するメガネと電子装置の連接構造において、そのうち、
メガネのテンプルに設置し、その上端及び下端にはそれぞれ最上面及び底面を備える底台と、
底台に設置し更にその上端及び下端にそれぞれ最上面及び底面を備えるマグネットを含むことを特徴とするメガネと電子装置の連接構造。
【請求項２】
前記底台の底面は、平面であり更に該テンプル外側に接着する接着剤を設置することを特徴とする請求項１記載のメガネと電子装置の連接構造。
【請求項３】
前記底台の中央にはマグネットに対応する少なくとも一つの嵌入孔を穿設することを特徴とする請求項１記載のメガネと電子装置の連接構造。
【請求項４】
前記底台の嵌入孔は上が狭く下が広い円錐形状であるか、もしくは逆Ｔ字形であることを特徴とする請求項３記載のメガネと電子装置の連接構造。
【請求項５】
前記底台の底面の嵌入孔に隣接する箇所には少なくとも一つの凸柱を設置し更にテンプルの少なくとも一つの穿孔に対応し、該凸柱にはテンプル別側に固定するための固定部材を設置することを特徴とする請求項３記載のメガネと電子装置の連接構造。
【請求項６】
前記底台中央にはメガネのテンプルに対応する溝孔を設置し、該底台の最上面には該溝孔と相互に通じる凹台を設置することを特徴とする請求項１記載のメガネと電子装置の連接構造。
【請求項７】
前記マグネットは上が狭く下が広い円錐形状であるか、もしくは逆Ｔ字形であり、且つ底台の上が狭く下が広い円錐形状もしくは逆Ｔ字形の嵌入孔に対応することを特徴とする請求項４記載のメガネと電子装置の連接構造。
【請求項８】
前記マグネットの底面は平面であり更に該底台の最上面に接着する接着剤を設置することを特徴とする請求項１または２記載のメガネと電子装置の連接構造。
【請求項９】
前記マグネットは底台の凹台に設置しメガネのテンプルを底台の溝孔に差し込むことを特徴とする請求項６記載のメガネと電子装置の連接構造。
【請求項１０】
前記底台はマグネットと吸着する少なくとも一つの電子装置を設置することを特徴とする請求項１から７及び９のうち任意の一項記載のメガネと電子装置の連接構造。
【考案の詳細な説明】
【技術分野】
【０００１】
本考案は、連接構造に関するものであり、特にメガネのテンプルに設置した底台にマグネットを備え、底台には少なくとも一つの電子装置を連接するメガネと電子装置の連接構造に係る。
【背景技術】
【０００２】
一般公知な技術としては、各種電子メガネや電子装置をメガネに固定するものがある。
【考案の概要】
【考案が解決しようとする課題】
【０００３】
解決しようとする問題点は、電子装置は各種メガネと結合できないため、メガネフレームに制限があり、またメガネの重量及びコストが増え、更にはメガネの美観、快適度が悪くなり、実用面でも非常に劣る。依って、当該技術領域の技術者及び消費者は問題の解決を望んでいる。
【課題を解決するための手段】
【０００４】
本考案は、テンプルを備え、テンプルに少なくとも一つの穿孔を穿設するか、もしくは溶接するメガネに応用する。それはメガネのテンプルに設置し、その上端及び下端にはそれぞれ最上面及び底面を備える底台と、底台に設置し更にその上端及び下端にそれぞれ最上面及び底面を備えるマグネットを含む。該底台の中央にはマグネットに対応する少なくとも一つの嵌入孔を穿設する。該底台の底面の嵌入孔に隣接する箇所には少なくとも一つの凸柱を設置し更にテンプルの少なくとも一つの穿孔に対応する。該凸柱にはテンプルの別側に固定するための固定部材を設置し且つ該凸柱には固定部材に対応する固定部を備える。該底台はマグネットと吸着する少なくとも一つの電子装置を設置することを最も主要な特徴とする。
【考案の効果】
【０００５】
本考案のメガネと電子装置の連接構造は、以下の利点がある。
【０００６】
まず、本考案と結合するメガネのデザインに制限がない。次に、本考案と結合するメガネをかけたときの快適度が保たれる。そして、本考案のマグネットに吸着する電子装置の機能が無限に広がる。さらに、メガネと本考案が分離すると、メガネの元の機能が完全に保たれる。
【図面の簡単な説明】
【０００７】
【図１】本考案の第一実施例の立体分解図一である。
【図２】本考案の第一実施例の組立断面図一である。
【図３】本考案の第二実施例の立体分解図二である。
【図４】本考案の第二実施例の組立断面図二である。
【図５】本考案の第三実施例の立体分解図三である。
【図６】本考案の第三実施例の組立断面図三である。
【図７】本考案の第四実施例の立体分解図四である。
【図８】本考案の第四実施例の組立断面図四である。
【図９】本考案の第五実施例の立体分解図五である。
【図１０】本考案の第五実施例の組立断面図五である。
【図１１】図１とメガネのテンプル結合の作用図である。
【図１２】図３とメガネのテンプル結合の作用図である。
【図１３】図７とメガネのテンプル結合の作用図である。
【図１４】図１１の底台に電子装置を連接した作用図である。
【図１５】図１２の底台に電子装置を連接した作用図である。
【図１６】図１３の底台に電子装置を連接した作用図である。
【図１７】本考案の該底台の嵌入孔とマグネットが逆Ｔ字形に形成された実施例図である。
【図１８】イヤホンの電子装置底部にマグネットを設置してメガネに吸着させ、マグネット方式でイヤホンヘッドを固定した本考案の実施例図である。
【考案を実施するための形態】
【０００８】
上述の現在の技術不足の点を改善するため、メガネのテンプルに設置した底台にマグネットを設置することによって、底台に少なくとも一つの電子装置を連接し、従前の技術の欠点を改善するメガネと電子装置の連接構造を提供することを本考案の主な目的とする。
【０００９】
メガネのテンプルに固定し、且つ底台に設置したマグネットによって、如何なる電子装置も吸着するメガネと電子装置の連接構造を提供することを本考案の次の目的とする。
【００１０】
使用便利感を向上させるメガネと電子装置の連接構造を提供することを本考案の別の目的とする。
【００１１】
本考案が解決したいのは、一般公知の各種電子メガネは、電子装置をメガネ内に固定するが、電子装置は各種メガネと結合できないため、メガネフレームに制限があり、またメガネの重量及びコストが増え、更にメガネの美観、快適度が悪くなり、実用面でも非常に劣る。
【００１２】
問題を解決する技術手段として、上述の目的を達成するため、本考案はメガネと電子装置の連接構造を提供する。それはテンプルを備え、テンプルに少なくとも一つの穿孔を穿設するか、もしくは溶接するメガネに応用する。そのうち、メガネのテンプルに設置し、その上端及び下端にはそれぞれ最上面及び底面を備える底台と底台に設置し、更にその上端及び下端にそれぞれ最上面及び底面を備えるマグネットを含む。
【００１３】
そのうち、本考案の該底台の底面は平面で、更に該テンプル外側に接着する接着剤を設置する。
【００１４】
そのうち、本考案の該底台の中央にはマグネットに対応する少なくとも一つの嵌入孔を穿設する。
【００１５】
そのうち、本考案の該底台の嵌入孔は上が狭く下が広い円錐形状であるか、もしくは逆Ｔ字形である。
【００１６】
そのうち、本考案の該底台の底面の嵌入孔に隣接する箇所には少なくとも一つの凸柱を設置し、更にテンプルの少なくとも一つの穿孔に対応し、該凸柱にはテンプル別側に固定するための固定部材を設置する。
【００１７】
そのうち、本考案の該底台中央にはメガネのテンプルに対応する溝孔を設置し、該底台の最上面には該溝孔と相互に通じる凹台を設置する。
【００１８】
そのうち、本考案の該マグネットは上が狭く下が広い円錐形状であるか、もしくは逆Ｔ字形であり、且つ底台の上が狭く下が広い円錐形状か、もしくは逆Ｔ字形の嵌入孔に対応する。
【００１９】
そのうち、本考案の該マグネットの底面は平面で更に該底台の最上面に接着する接着剤を設置する。
【００２０】
そのうち、本考案の該マグネットは底台の凹台に設置し、メガネのテンプルを底台の溝孔に差し込む。
【００２１】
そのうち、本考案の該底台は、マグネットと吸着する少なくとも一つの電子装置を設置する。
【００２２】
従前の技術の効果と比較して、この構造によって、メガネのテンプルに設置する底台はマグネットを設置し、底台には少なくとも一つの電子装置を連接する。それらによって達成するのは、メガネのテンプルに固定し、且つ底台に設置したマグネットはマグネットに吸着する任意の電子装置を吸着し、使用の便利さを有効に向上し、進歩性、実用性に合致し、使用者の必要に応じて効果が向上する。
【実施例】
【００２３】
本考案と共に実施例を挙げて以下に詳細に説明する。文中で使用する図式は、主に明細書を示し説明するためのものであり、本考案実施後の実際比例と正確な配置とは限らず、本考案の請求範囲を制限するものではない。
【００２４】
図１、図２及び図３、図４及び図５、図６及び図７、図８及び図９、図１０及び図１１、図１２、図１３及び図１４、図１５、図１６及び図１７及び図１８に示すのは、本考案の第一実施例立体分解図一、本考案の第一実施例組立断面図一、及び本考案第二実施例の立体分解図二、本考案第二実施例の組立断面図二、及び本考案第三実施例の立体分解図三、本考案第三実施例の組立断面図三、及び本考案第四実施例の立体分解図四、本考案第四実施例の組立断面図四、及び本考案第五実施例の立体分解図五、本考案第五実施例の組立断面図五であり、及び図１とメガネのテンプル結合の作用図、図３とメガネのテンプル結合の作用図、図７とメガネのテンプル結合の作用図及び図１１の底台に電子装置を連接した作用図、図１２の底台に電子装置を連接した作用図、図１３の底台に電子装置を連接した作用図及び該底台の嵌入孔とマグネットが逆Ｔ字形に形成された実施例図であり、イヤホンの電子装置底部にマグネットを設置してメガネに吸着させ、マグネット方式でイヤホンヘッドを固定した本考案の実施例図である。本考案のメガネと電子装置の連接構造の良好な実施例において、テンプル３１を備え、テンプル３１には少なくとも一つの穿孔３２を穿設するか、もしくは溶接するメガネ３に応用し、それは底台１、マグネット２を含む。
【００２５】
前述の底台１は、メガネ３のテンプル３１に設置し、その上端及び下端には、それぞれ最上面１００及び底面１０を備える。該底台１の底面１０は平面で更に該テンプル３１外側に接着する接着剤４を設置する（例として図１、図２、図１１参照）。該底台１の中央は少なくとも一つの嵌入孔１２を設置し、該嵌入孔１２は上が狭く下が広い円錐形状であるか（例として図３、図４、図５、図６参照）もしくは逆Ｔ字形（例として図１７参照）である。該底台１の底面１０の嵌入孔１２に隣接する箇所には少なくとも一つの凸柱１０１を設置し（例として図３、図４、図５、図６参照）更にテンプル３１の少なくとも一つの穿孔３２に対応する。該凸柱１０１にはテンプル３１別側に固定するための固定部材１０３を設置し（例として図１２参照）、また該凸柱１０１には固定部材１０３に対応する固定部１０２を成形する。該固定部１０２は凸柱１０１の中央に設置するネジ孔である（例として図３、図４参照）が、それは本考案を制限しない。該固定部１０２は、また凸柱１０１外側に設置する外ネジ山でもよく（例として図５、図６参照）、ネジもしくはナットの固定部材１０３が凸柱１０１のネジ孔もしくは凸柱１０１の外ネジ山としてメガネ３のテンプル３１の別側に螺設して固定される。本考案の該底台１中央にはメガネ３のテンプル３１に対応する一溝孔１１を設置し、該底台１の最上面１００には該溝孔１１と相互に通じる凹台１０００（例として図７、図８、図９、図１０、図１３参照）を設置し、本考案の該底台１の溝孔１１の形状は円形（例として図７、図８参照）もしくは方形（例として図９、図１０参照）であるが、それらは本考案を制限しない。
【００２６】
前述のマグネット２は底台１に設置し、更にその上端及び下端にそれぞれ最上面２００及び底面２０を備える（例として図１、図２参照）。該マグネット２は上が狭く下が広い円錐形状であり、且つ底台１の上が狭く下が広い円錐形状の嵌入孔１２（例として図３、図４、図５、図６参照）に対応するか、もしくは逆Ｔ字形でありそれが底台１の倒逆Ｔ字形（例として図１７参照）に対応するが、それらは本考案を制限しない。金属テンプル３１に実際に実施するのに、マグネット２と底溶接方式で結合してもよく（図未提示）、更に本考案の該マグネット２の底面２０は平面で更に該底台１の最上面１００に接着する接着剤４（例として図１、図２参照）を設置するか、該マグネット２は底台１の凹台１０００に設置し、メガネ３のテンプル３１を底台１の溝孔１１に差し込む（例として図１３参照）。
【００２７】
本考案の該底台１はマグネット２と吸着する少なくとも一つの電子装置１３を設置する。本実施例の該電子装置１３はイヤホン（例として図１４、図１５、図１６参照）であるが、それは本考案を制限せず、マグネット２と吸着するのは如何なる電子装置１３でもよく、すべて本考案の請求範囲に属する。更に本考案は（ブルーツゥース）イヤホンの電装置１３の底部にマグネット（図未提示）を設置してもよく、メガネ３のテンプル３１に吸着し、マグネット方式でイヤホンヘッド（例として図１８参照）に固定する。
【００２８】
この構造によって、メガネ３のテンプル３１に設置した底台１にマグネット２を設置することにより、底台１に少なくとも一つの電子装置１３を連接する。更にメガネ３のテンプル３１に固定し、底台１に設置したマグネット２は、如何なる電子装置１３も吸着する。依って、本考案は使用が便利であり、進歩性、実用性を備える。
【００２９】
上述のとおり、本考案は従前の技術構造を突破し、確実に効果を達成し、且つ当該技術に習熟していない者は思い至らないものである。更に本考案は未だ公開されておらず、それは進歩性、実用性を備えることから、実用新案申請の要件に符合する。
【００３０】
以上の実施例は、本考案の技術思想及び特徴を説明するためだけのものであり、その目的は当該領域に習熟した者が本考案の内容を理解して実施することにあり、本考案の請求範囲を制限するものではなく、本考案に示す精神に依る均等の変化もしくは修飾は本考案の請求範囲含まれるものとする。
【符号の説明】
【００３１】
１        底台
１０      底面
１００    最上面
１０００  凹台
１０１    凸柱
１０２    固定部
１０３    固定部材
１１      溝孔
１２      嵌入孔
１３      電子装置
２        マグネット
２０      底面
２００    最上面
３        メガネ
３１      テンプル
３２      穿孔
４        接着剤
【図１】
0003222342.tif 000003
【図２】
0003222342.tif 000004
【図３】
0003222342.tif 000005
【図４】
0003222342.tif 000006
【図５】
0003222342.tif 000007
【図６】
0003222342.tif 000008
【図７】
0003222342.tif 000009
【図８】
0003222342.tif 000010
【図９】
0003222342.tif 000011
【図１０】
0003222342.tif 000012
【図１１】
0003222342.tif 000013
【図１２】
0003222342.tif 000014
【図１３】
0003222342.tif 000015
【図１４】
0003222342.tif 000016
【図１５】
0003222342.tif 000017
【図１６】
0003222342.tif 000018
【図１７】
0003222342.tif 000019
【図１８】
0003222342.tif 000020